(57)【要約】【課題】放送番組の録画から日数が経過している場合であっても、録画時のログを保持することができる構成を得る。【解決手段】録画部１０４は、放送番組の番組コンテンツを、放送番組のＩＤ（Ｉｄｅｎｔｉｆｉｅｒ）である番組ＩＤと対応付けて録画する。録画ログ記録部１０５は、番組コンテンツの録画の際の録画部１０４における処理の履歴を、番組ＩＤと対応付けて録画ログとして記録する。【選択図】図１
2017022435.tif 000002
【特許請求の範囲】
【請求項１】
放送番組の番組コンテンツを、前記放送番組のＩＤ（Ｉｄｅｎｔｉｆｉｅｒ）である番組ＩＤと対応付けて録画する録画部と、
前記番組コンテンツの録画の際の前記録画部における処理の履歴を、前記番組ＩＤと対応付けて録画ログとして記録する録画ログ記録部とを有する録画装置。
【請求項２】
前記録画装置は、更に、
前記録画部により録画された番組コンテンツを、再生装置に転送する録画番組転送部と、
前記番組コンテンツの転送の際の前記録画番組転送部における処理の履歴を、前記番組コンテンツの番組ＩＤと対応付けて転送ログとして記録する転送ログ記録部とを有する請求項１に記載の録画装置。
【請求項３】
前記録画装置は、更に、
前記録画ログを、サーバ装置に送信するログ送信部を有する請求項１に記載の録画装置。
【請求項４】
前記録画装置は、更に、
前記転送ログを、サーバ装置に送信するログ送信部を有する請求項２に記載の録画装置。
【請求項５】
前記録画装置は、更に、
番組コンテンツの録画の際のエラーを通知するエラー情報が前記録画ログに含まれているか否かを判定し、前記録画ログに前記エラー情報が含まれていない場合に、前記録画ログを消去するログ管理部を有する請求項１に記載の録画装置。
【請求項６】
前記録画装置は、更に、
番組コンテンツの転送の際のエラーを通知するエラー情報が前記転送ログに含まれているか否かを判定し、前記転送ログに前記エラー情報が含まれていない場合に、前記転送ログを消去するログ管理部を有する請求項２に記載の録画装置。
【請求項７】
前記ログ管理部は、
前記録画部により録画された番組コンテンツのムーブ操作又はコピー操作がユーザにより行われる場合に、前記番組コンテンツの録画の際のエラーを通知するエラー情報が前記録画ログに含まれているか否かを判定し、
前記録画ログに前記エラー情報が含まれている場合に、前記番組コンテンツの録画の際にエラーが発生していたことを前記ユーザに通知する請求項５に記載の録画装置。
【請求項８】
前記録画ログ記録部は、
前記録画部により録画された番組コンテンツと同じディレクトリに前記録画ログを記録する請求項１に記載の録画装置。
【請求項９】
前記転送ログ記録部は、
前記録画部により録画された番組コンテンツと同じディレクトリに前記転送ログを記録する請求項２に記載の録画装置。
【請求項１０】
実２
放送番組の番組コンテンツを録画する録画部と、
前記録画部による前記番組コンテンツの録画の際にエラーが発生した場合に、前記放送番組の名称と、録画の際にエラーが発生したことを通知するエラー通知メッセージとが含まれるメタ情報を生成するメタ情報生成部とを有する録画装置。
【請求項１１】
前記録画装置は、更に、
前記録画部により録画された番組コンテンツを再生する再生装置に、前記メタ情報を送信するメタ情報送信部を有する請求項１０に記載の録画装置。
【請求項１２】
録画装置から、少なくとも前記録画装置で録画された放送番組の名称が含まれるメタ情報を受信する通信部と、
前記通信部により受信された前記メタ情報を解析し、前記メタ情報において、放送番組の名称とともに、前記録画装置での録画の際のエラーを通知するエラー通知メッセージが含まれているか否かを判定するメタ情報解析部と、
前記メタ情報解析部により前記メタ情報に前記エラー通知メッセージが含まれていると判定された場合に、前記メタ情報に含まれる放送番組の名称が表示されるとともに、当該放送番組の録画の際にエラーが発生していたことが表示される録画番組情報を生成する録画番組情報生成部とを有する再生装置。
【請求項１３】
録画装置が、放送番組の番組コンテンツを、前記放送番組のＩＤ（Ｉｄｅｎｔｉｆｉｅｒ）である番組ＩＤと対応付けて録画する録画ステップと、
前記録画装置が、前記番組コンテンツの録画の際の前記録画ステップにおける処理の履歴を、前記番組ＩＤと対応付けて録画ログとして記録する録画ログ記録ステップとを有する録画管理方法。
【請求項１４】
録画装置が、放送番組の番組コンテンツを録画する録画ステップと、
前記番組コンテンツの録画の際にエラーが発生した場合に、前記録画装置が、前記放送番組の名称と、録画の際にエラーが発生したことを通知するエラー通知メッセージとが含まれるメタ情報を生成するメタ情報生成ステップとを有する録画管理方法。
【請求項１５】
再生装置が、録画装置から、少なくとも前記録画装置で録画された放送番組の名称が含まれるメタ情報を受信する通信ステップと、
前記再生装置が、前記通信ステップにより受信された前記メタ情報を解析し、前記メタ情報において、放送番組の名称とともに、前記録画装置での録画の際のエラーを通知するエラー通知メッセージが含まれているか否かを判定するメタ情報解析ステップと、
前記メタ情報解析ステップにより前記メタ情報に前記エラー通知メッセージが含まれていると判定された場合に、前記再生装置が、前記メタ情報に含まれる放送番組の名称が表示されるとともに、当該放送番組の録画の際にエラーが発生していたことが表示される録画番組情報を生成する録画番組情報生成ステップとを有する録画番組情報生成方法。
【発明の詳細な説明】
【技術分野】
【０００１】
本発明は、番組コンテンツの録画に関する。
【背景技術】
【０００２】
デジタルテレビ、スマートフォン、タブレット端末、ＮＡＳ（Ｎｅｔｗｏｒｋ  Ａｔｔａｃｈｅｄ  Ｓｔｏｒａｇｅ）等のデジタル機器をホームネットワークに接続し、放送番組の番組コンテンツをブルーレイレコーダ等の録画機器に録画し、ネットワーク経由で録画機器から他の機器に録画番組を配信したり、ダビングすることによって、録画機器とは異なる機器で録画番組を視聴する方法が広まっている。
このような録画機器と異なる機器で録画番組を視聴する際に、再生している録画番組の映像に乱れが発生したり、録画番組の再生が異常に終了してしまう等の障害が発生した場合、障害の原因として、録画機器側の録画処理、録画機器から再生機器への録画番組の転送処理、再生機器側の再生処理等が考えられる。
従って、障害を解決するには、これらの処理のどこに異常があったのかを調査する必要がある。
障害の原因を調査する方法として、実行された処理の履歴や異常発生時の機器の状態等をログとして不揮発性メモリに常に記録し、障害発生時のログを不揮発性メモリから取得し、ログを解析する方法が考えられる。
しかしながら、不揮発性メモリの記憶容量に制約がある場合、ログの記録に利用できる領域をリングバッファとして使用し、古いログを新しいログで上書きする方法が広く使われているため、障害発生時のログが新しいログによって上書きされ、削除されてしまう場合があった。
【０００３】
特許文献１には、映像符号化処理による映像パケットと音声パケットの出力状態を監視し、障害発生を検出した場合に、不揮発性メモリへのログの書き込みを停止することにより、障害発生時のログが記録された状態を保持する方法が示されている。
【先行技術文献】
【特許文献】
【０００４】
【特許文献１】特開２００８−２３６０４８号公報
【発明の概要】
【発明が解決しようとする課題】
【０００５】
しかしながら、特許文献１では、障害発生時のログが記録された状態を保持するために、障害発生以降の新たなログの記録を停止しているに過ぎないので、最初の障害が発生した以降に、別の障害が発生した場合にログが記録されないという課題がある。
【０００６】
この発明はこのような課題を解決することを主な目的としており、放送番組の録画から日数が経過している場合であっても、録画時のログを保持することができる構成を得ることを主な目的とする。
【課題を解決するための手段】
【０００７】
本発明に係る録画装置は、
放送番組の番組コンテンツを、前記放送番組のＩＤ（Ｉｄｅｎｔｉｆｉｅｒ）である番組ＩＤと対応付けて録画する録画部と、
前記番組コンテンツの録画の際の前記録画部における処理の履歴を、前記番組ＩＤと対応付けて録画ログとして記録する録画ログ記録部とを有する。
【発明の効果】
【０００８】
本発明では、録画の際の録画部の処理の履歴を番組ＩＤと対応付けて録画ログとして記録する。
このため、録画処理から日数が経過している場合であっても、録画ログを保持することができる。
【図面の簡単な説明】
【０００９】
【図１】実施の形態１に係る録画装置の機能構成例を示す図。
【図２】実施の形態１に係るシステム構成例を示す図。
【図３】実施の形態１に係る録画装置で放送番組を録画し、再生装置で録画番組を再生する際のシーケンスを示すシーケンス図。
【図４】実施の形態１に係る録画処理の例を示すフローチャート図。
【図５】実施の形態１に係る転送処理の例を示すフローチャート図。
【図６】実施の形態１に係る録画番組管理テーブルの例を示す図。
【図７】実施の形態１に係る録画ログの例を示す図。
【図８】実施の形態１に係る転送ログの例を示す図。
【図９】実施の形態２に係る録画装置の機能構成例を示す図。
【図１０】実施の形態２に係る録画処理の例を示すフローチャート図。
【図１１】実施の形態２に係るメタ情報の例を示す図。
【図１２】実施の形態２に係るメタ情報の例を示す図。
【図１３】実施の形態２に係る録画番組情報の例を示す図。
【図１４】実施の形態２に係る再生装置の機能構成例を示す図。
【図１５】実施の形態１及び２に係る録画装置及び再生装置のハードウェア構成例を示す図。
【発明を実施するための形態】
【００１０】
実施の形態１．
＊＊＊構成の説明＊＊＊
図１は、本実施の形態に係る録画装置１００の機能構成例を示すブロック図であり、図２は、本実施の形態に係るシステム構成例を示すブロック図である。
【００１１】
図２では、録画装置１００、放送番組配信サーバ装置２００及び再生装置３００がＩＰ（Ｉｎｔｅｒｎｅｔ  Ｐｒｏｔｏｃｏｌ）ネットワーク４００で接続されている。
録画装置１００は放送番組の番組コンテンツを受信し、受信した番組コンテンツを録画する。
録画装置１００は録画した番組コンテンツをＩＰネットワーク４００を経由して、再生装置３００に配信する。
再生装置３００は、録画装置１００から受信した番組コンテンツを再生し、ユーザが番組コンテンツを視聴する。
以下では、放送番組の番組コンテンツを録画することを、放送番組を録画するともいう。
また、録画された番組コンテンツを録画番組ともいう。
なお、図２では、放送番組配信サーバ装置２００がＩＰネットワーク４００を経由して配信する放送番組を受信する構成を示しているが、ＩＰネットワーク４００を利用した構成に限定するものではなく、放送波を利用して放送番組を受信する構成でもよい。
【００１２】
図１に示す録画装置１００は、記憶媒体１０１、放送受信部１０２、番組ＩＤ生成部１０３、録画部１０４、録画ログ記録部１０５、録画番組転送部１０６、転送ログ記録部１０７、ログ送信部１１１、ログ管理部１１２から構成されている。
なお、録画装置１００により行われる処理が録画管理方法の例に相当する。
【００１３】
記憶媒体１０１は、録画番組やログ等を記憶する装置であり、例えばハードディスクドライブ等で構成される。
なお、図１では録画装置１００の内部に記憶媒体１０１を持つ構成を示したが、録画装置１００の外部に記憶媒体１０１を接続し、録画装置１００が記憶媒体１０１を持たない構成でもよい。
【００１４】
放送受信部１０２は放送番組の放送ストリームを受信し、録画部１０４に放送ストリームを受け渡す。
【００１５】
録画部１０４は、放送受信部１０２から放送ストリームを受け取ると、番組ＩＤ生成部１０３に放送番組を一意に識別するための番組ＩＤの生成を指示する。
そして、録画部１０４は、放送番組の番組コンテンツを、番組ＩＤ生成部１０３から通知された番組ＩＤと対応付けて記憶媒体１０１への記録（録画）を開始する。
【００１６】
番組ＩＤ生成部１０３は、録画部１０４からの指示に基づき、放送番組の番組ＩＤを生成し、生成した番組ＩＤを録画部１０４に通知する。
【００１７】
録画ログ記録部１０５は、録画部１０４から録画中の録画番組に対応する番組ＩＤと録画部１０４が実行した処理の履歴を受け取り、番組ＩＤと紐付けた録画ログとして記憶媒体１０１への記録を開始する。
つまり、録画ログ記録部１０５は、番組コンテンツの録画の際の録画部１０４における処理の履歴を、番組ＩＤと対応付けて録画ログとして記録する。
なお、録画ログの記録先は録画部１０４により録画された番組コンテンツと同じディレクトリでなくてもよい。
【００１８】
録画番組転送部１０６は、他の機器から番組ＩＤで特定される録画番組の転送要求を受け付け、番組ＩＤに対応する録画番組を記憶媒体１０１から読み込み、他の機器に録画番組を転送する。
つまり、録画番組転送部１０６は、録画部１０４により録画された番組コンテンツを、再生装置３００に転送する。
【００１９】
転送ログ記録部１０７は、録画番組転送部１０６から転送中の録画番組に対応する番組ＩＤと録画番組転送部１０６が実行した処理の履歴を受け取り、番組ＩＤと紐付けた転送ログとして記憶媒体１０１への記録を開始する。
つまり、転送ログ記録部１０７は、番組コンテンツの転送の際の録画番組転送部１０６における処理の履歴を、番組コンテンツの番組ＩＤと対応付けて転送ログとして記録する。
なお、転送ログの記録先は録画部１０４により録画された番組コンテンツと同じディレクトリでなくてもよい。
【００２０】
ログ送信部１１１は、録画ログ及び転送ログを、図２に不図示のログ収集サーバ装置に送信する。
【００２１】
ログ管理部１１２は、録画ログ及び転送ログを消去する。
より具体的には、ログ管理部１１２は、番組コンテンツの録画の際のエラーを通知するエラー情報が録画ログに含まれているか否かを判定し、録画ログにエラー情報が含まれていない場合に、録画ログを消去する。
また、ログ管理部１１２は、番組コンテンツの転送の際のエラーを通知するエラー情報が転送ログに含まれているか否かを判定し、転送ログにエラー情報が含まれていない場合に、転送ログを消去する。
更に、ログ管理部１１２は、録画部１０４により録画された番組コンテンツのムーブ操作又はコピー操作がユーザにより行われる場合に、番組コンテンツの録画の際のエラーを通知するエラー情報が録画ログに含まれているか否かを判定する。
そして、録画ログにエラー情報が含まれている場合に、ログ管理部１１２は、番組コンテンツの録画の際にエラーが発生していたことをユーザに通知する。
【００２２】
＊＊＊動作の説明＊＊＊
次に、実施の形態１に係る録画装置１００の動作例を図３〜８に基づき説明する。
【００２３】
図３は、録画装置１００によって録画された録画番組を再生装置３００のユーザが視聴する際の動作を示すシーケンス図である。
【００２４】
放送番組配信サーバ装置２００が放送番組を配信すると（ＳＴ０１）、録画装置１００は放送番組を受信し（ＳＴ０２）、録画処理を開始する（ＳＴ０３）。
録画装置１００は、録画処理が完了すると録画番組一覧への録画番組の登録を行う（ＳＴ０４）。
再生装置３００を操作するユーザが録画装置１００に録画された録画番組の一覧を表示する要求を行うと（ＳＴ０５）、再生装置３００は録画番組一覧の取得要求を録画装置１００に送信する（ＳＴ０６）。
録画装置１００は、録画番組一覧の取得応答として、録画番組の一覧情報を再生装置３００に送信する（ＳＴ０７）。
再生装置３００は、録画装置１００から録画番組の一覧情報を受信すると、録画番組一覧を画面に表示する（ＳＴ０８）。
再生装置３００を操作するユーザが再生装置３００に表示された録画装置１００の録画番組一覧から録画番組を選択し、録画番組の再生開始を要求する（ＳＴ０９）。
再生装置３００は、録画番組の転送要求を録画装置１００に送信し（ＳＴ１０）、録画装置１００は録画番組を再生装置３００に転送する処理を開始する（ＳＴ１１）。
再生装置３００は、録画装置１００から録画番組の受信を開始すると、録画番組の再生を開始し（ＳＴ１２）、再生装置３００のユーザは録画番組の視聴を行う。
【００２５】
図４は、図３の録画装置１００における録画処理（ＳＴ０３）の詳細を示すフローチャートである。
【００２６】
録画装置１００において、録画予約等による録画開始条件になると、放送受信部１０２が放送番組を受信し、録画部１０４に放送ストリームを受け渡す（ＳＴ２１）。
録画部１０４は、放送受信部１０２から放送ストリームを受け取ると、番組ＩＤ生成部１０３により録画番組を一意に識別する番組ＩＤを生成し（ＳＴ２２）、番組ＩＤと紐付けた録画番組として記憶媒体１０１への記録を開始する（ＳＴ２３）（録画ステップ）。
録画ログ記録部１０５は、録画部１０４から録画中の録画番組に対応する番組ＩＤと録画部１０４が実行した処理の履歴を受け取り、番組ＩＤと紐付けた録画ログとして記憶媒体１０１への記録を開始する（ＳＴ２４）（録画ログ記録ステップ）。
録画装置１００において、録画予約等による録画終了条件になっていない場合（ＳＴ２５のＮｏ）、録画番組の記録処理に戻り（ＳＴ２３）、録画予約等による録画終了条件になった場合（ＳＴ２５のＹｅｓ）、放送受信部１０２は放送番組の受信を終了し（ＳＴ２６）、録画処理が完了する。
【００２７】
図５は、図３の録画装置１００における転送処理（ＳＴ１１）の詳細を示すフローチャートである。
【００２８】
録画装置１００において、再生装置３００から番組ＩＤで特定される録画番組の転送要求を受信すると（ＳＴ３１）、録画番組転送部１０６は、番組ＩＤに対応する録画番組を記憶媒体１０１から読み込み（ＳＴ３２）、再生装置３００に録画番組を転送する処理を行う（ＳＴ３３）。
転送ログ記録部１０７は、録画番組転送部１０６から転送中の録画番組に対応する番組ＩＤと録画番組転送部１０６が実行した処理の履歴を受け取り、番組ＩＤと紐付けた転送ログとして記憶媒体１０１への記録を開始する（ＳＴ３４）。
録画装置１００において、転送の終了条件になっていない場合（ＳＴ３５のＮｏ）、録画番組の転送処理に戻り（ＳＴ３２）、録画番組の終端まで転送が完了するか、再生装置３００から転送終了の要求を受信し、転送の終了条件になると（ＳＴ３５のＹｅｓ）、転送処理が完了する。
【００２９】
図６は、録画装置１００において、録画番組、録画ログ及び転送ログを番組ＩＤと紐付けて記憶媒体１０１に記録するための録画番組管理テーブルの例である。
【００３０】
録画番組管理テーブルには、番組ＩＤ０００１、０００２、０００３の３つの録画番組が設定されており、各番組ＩＤに録画番組ファイル名、録画ログファイル名及び転送ログファイル名が設定されている。
図６に示す例では、番組ＩＤをディレクトリ名とする同一のディレクトリ内に、録画番組、録画ログ及び転送ログを記憶媒体１０１に記録している。
録画装置１００において録画番組を削除する際に、録画番組に対応する番組ＩＤのディレクトリごと削除することにより、記憶媒体１０１に録画番組が保存されている期間は、録画ログと転送ログが保存されている状態を維持することができる。
これにより、録画ログ及び転送ログが記憶媒体１０１に長期間保存されることになるが、録画ログ及び転送ログのデータサイズは録画番組を構成する映像、音声データと比較すると一般的に極めて小さいため、録画ログと転送ログが記憶媒体１０１の容量に与える影響は小さい。
【００３１】
図７は、録画装置１００において、録画ログ記録部１０４が記憶媒体１０１に記録する録画ログの例である。
図７に示す例では、エラーが発生した時刻、エラーが発生した処理内容及びエラー内容が記録されているが、録画ログの内容はこれに限定するものではない。
【００３２】
図８は、録画装置１００において、転送ログ記録部１０７が記憶媒体１０１に記録する転送ログの例である。
図８に示す例では、エラーが発生した時刻、転送先の機器のＩＰアドレス、エラーが発生した処理内容及びエラー内容が記録されているが、転送ログの内容はこれに限定するものではない。
【００３３】
なお、録画番組の録画処理を終了した後に、ログ管理部１１２が、録画番組に対応する録画ログにエラーを示すエラー情報が含まれていないか否かを判定し、録画ログにエラー情報が含まれていない場合に、ログ管理部１１２が、記憶媒体１０１から録画ログを削除するようにしてもよい。
同様に、録画番組の転送処理を終了した後に、ログ管理部１１２が、録画番組に対応する転送ログにエラーを示すエラー情報が含まれていないか否かを判定し、転送ログにエラー情報が含まれていない場合に、ログ管理部１１２が、記憶媒体１０１から転送ログを削除するようにしてもよい。
これにより、エラー情報が含まれている録画ログと転送ログだけが記憶媒体１０１に保存されるようになるので、記憶媒体１０１の容量に与える影響を更に小さくすることができる。
【００３４】
また、ログ送信部１１１が、記憶媒体１０１に記録した録画ログ及び転送ログをＩＰネットワーク４００を経由して、ログ収集サーバ装置に送信するようにしてもよい。
これにより、サービス事業者のカスタマーサービス等にユーザから障害情報が報告された際に、サービス事業者はログ収集サーバ装置に集積された録画ログ及び転送ログを調査することにより、障害を解析し、短時間で障害の原因を特定することが可能となり、サービス品質を向上させることができる。
【００３５】
なお、録画番組をネットワークを経由して機器間で転送する方法の一例として、ＤＬＮＡ（登録商標）（Ｄｉｇｉｔａｌ  Ｌｉｖｉｎｇ  Ｎｅｔｗｏｒｋ  Ａｌｌｉａｎｃｅ）があり、録画番組をストリーミング配信する方法と、録画番組を機器間でアップロードまたはダウンロードすることによりコピーまたはムーブする方法があるが、本実施の形態は転送方法を限定するものではない。
【００３６】
また、録画番組を機器間でコピーまたはムーブする場合、ユーザが録画番組を転送する前に、ログ管理部１１２が、録画番組に紐付けられた録画ログにエラー情報が含まれているかどうかを確認し、録画ログにエラー情報が含まれている場合に、録画エラーが含まれている録画番組をコピーまたはムーブしようとしていることを画面に表示する、あるいは音声を出力することにより、ユーザに通知してもよい。
これにより、ユーザがコピーまたはムーブしようとしている録画番組の録画時にエラーがあったことをユーザが認識できるので、コピーまたはムーブに失敗する可能性を考慮して、コピーまたはムーブを取り消す判断をすることができるようになる。
【００３７】
また、録画番組をムーブした場合、録画番組は転送先の機器に移動し、録画装置１００から録画番組が削除されることになるが、ログ管理部１１２は、ムーブした録画番組に紐付けられた録画ログ及び転送ログは削除せずに記憶媒体１０１に保存した状態を維持してもよい。
これにより、録画番組をムーブ後、転送先の機器で録画番組を再生した際に再生エラーが発生した場合に、録画番組に紐付けられた録画ログ及び転送ログが録画装置１００に保存されているので、再生エラーの原因を解析することが可能になる。
【００３８】
＊＊＊実施の形態の効果＊＊＊
以上のように、本実施の形態によれば、番組ＩＤによって録画番組、録画ログ及び転送ログを紐付けて管理し、記憶媒体１０１に記録するように構成したので、録画処理や転送処理から日数が経過している場合であっても、録画ログと転送ログが記憶媒体１０１に保存された状態を維持することが可能となる。
これにより、録画装置１００で録画した録画番組を再生装置３００に転送して視聴した際に、再生エラー等の障害が発生した場合に、録画装置１００に視聴した録画番組に対応した録画ログと転送ログが保存されているため、障害の解析が可能となる。
【００３９】
実施の形態２．
実施の形態１では、番組ＩＤによって録画番組、録画ログ及び転送ログを紐付けて管理し、記憶媒体１０１に記録する方法を示した。
実施の形態２では、録画装置１００で録画された録画番組を再生装置３００に転送して視聴するような場合において、再生装置３００のユーザが録画番組の視聴を始める前に、録画番組の録画時にエラーがあったことを分かるようにする例を示す。
【００４０】
＊＊＊構成の説明＊＊＊
図９は、実施の形態２の録画装置１００の機能構成例を示すブロック図である。
【００４１】
図９に示す録画装置１００は、図１に示した実施の形態１の構成の録画ログ記録部１０５、転送ログ記録部１０７、ログ送信部１１１及びログ管理部１１２に代えて、録画エラー検出部１０８、メタ情報生成部１０９、メタ情報記録部１１０を追加して構成している。
録画部１０４が放送受信部１０２から放送ストリームを受け取り、番組ＩＤ生成部１０３により録画番組を一意に識別する番組ＩＤを生成し、番組ＩＤと紐付けた録画番組として記憶媒体１０１への記録を開始する点は実施の形態１と同じである。
【００４２】
録画エラー検出部１０８は、録画部１０４から録画中の録画番組に対応する番組ＩＤと録画部１０４が実行した処理の履歴を受け取り、録画エラーの検出を行う。
【００４３】
メタ情報生成部１０９は、メタ情報を生成する。
録画部１０４による番組コンテンツの録画の際にエラーが発生しなかった場合は、メタ情報生成部１０９は、録画エラー検出部１０８から録画中の録画番組に対応する番組ＩＤを受け取り、録画番組の名称、録画番組の録画日時等が記述されるメタ情報を生成する。
録画部１０４による番組コンテンツの録画の際にエラーが発生した場合は、メタ情報生成部１０９は、録画エラー検出部１０８から録画中の録画番組に対応する番組ＩＤと録画エラーの検出結果を受け取り、放送番組の名称、録画番組の録画日時等が記述されるとともに、録画の際にエラーが発生したことを通知するエラー通知メッセージが含まれるメタ情報を生成する。
【００４４】
メタ情報記録部１１０は、メタ情報生成部１０９により生成されたメタ情報を記憶媒体１０１に記録する。
【００４５】
録画番組転送部１０６は、再生装置３００から録画番組一覧の取得要求を受け付け、記憶媒体１０１に記録された録画番組に紐付けられたメタ情報を記憶媒体１０１から読み込み、再生装置３００にメタ情報を送信する。
録画番組転送部１０６は、メタ情報送信部の例に相当する。
【００４６】
なお、録画装置１００により行われる処理が録画管理方法の例に相当する。
【００４７】
図１４は、本実施の形態に係る再生装置３００の機能構成例を示す。
【００４８】
図１４において、通信部３０１は、録画装置１００に録画番組情報の取得要求を送信するとともに、録画装置１００からメタ情報を受信する。
メタ情報には、録画装置１００で録画された放送番組の名称、録画日時等の情報が含まれる。
更に、録画装置１００において録画エラーが発生した場合は、メタ情報にエラー通知メッセージが含まれる。
更に、通信部３０１は、録画装置１００から録画番組の番組コンテンツを受信する。
【００４９】
メタ情報解析部３０２は、通信部３０１により受信されたメタ情報を解析する。
具体的には、メタ情報解析部３０２は、メタ情報において、録画番組の名称等とともに、エラー通知メッセージが含まれているか否かを判定する。
そして、メタ情報解析部３０２は、メタ情報と解析結果を後述する録画番組情報生成部３０３に出力する。
【００５０】
録画番組情報生成部３０３は、録画番組情報を生成する。
録画番組情報は、録画番組の名称、録画日時等が表示される情報である。
メタ情報解析部３０２によりメタ情報にエラー通知が含まれていないと判定された場合は、メタ情報から、録画番組の名称、録画日時が表示される録画番組情報を生成する。
一方、メタ情報解析部３０２によりメタ情報にエラー通知メッセージが含まれていると判定された場合は、メタ情報から、録画番組の名称、録画日時が表示されるとともに、当該番組の録画の際にエラーが発生していたことが表示される録画番組情報を生成する。
【００５１】
表示部３０５は、録画番組情報生成部３０３により生成された録画番組情報を再生装置３００のディスプレイに出力する。
また、表示部３０５は、後述する録画番組再生部３０４からの映像データを再生装置３００のディスプレイに出力する。
【００５２】
録画番組再生部３０４は、通信部３０１により受信された録画番組の番組コンテンツを再生し、番組コンテンツの映像データを表示部３０５に出力し、音声データを音声出力部３０６に出力する。
【００５３】
音声出力部３０６は、録画番組再生部３０４からの音声データを再生装置３００のスピーカに出力する。
【００５４】
なお、再生装置３００により行われる処理が録画番組情報生成方法の例に相当する。
【００５５】
＊＊＊動作の説明＊＊＊
次に、実施の形態２の録画装置の動作について図１０〜１３に基づき説明する。
【００５６】
図１０は、録画装置１００における録画処理の詳細を示すフローチャートである。
【００５７】
録画装置１００において、録画予約等による録画開始条件になると、放送受信部１０２が放送番組を受信し、録画部１０４に放送ストリームを受け渡す（ＳＴ４１）。
録画部１０４は、放送受信部１０２から放送ストリームを受け取ると、番組ＩＤ生成部１０３により録画番組を一意に識別する番組ＩＤを生成し（ＳＴ４２）、番組ＩＤと紐付けた録画番組として記憶媒体１０１への記録を開始する（ＳＴ４３）（録画ステップ）。
録画エラー検出部１０８は、録画部１０４から録画中の録画番組に対応する番組ＩＤと録画部１０４が実行した処理の履歴を受け取り、録画処理におけるエラー検出を行う（ＳＴ４４）。
録画エラー検出部１０８がエラーを検出しない場合（ＳＴ４４のＮＯ）、メタ情報生成部１０９が通常のメタ情報を生成し（メタ情報生成ステップ）、メタ情報記録部１１０が番組ＩＤと紐付けて、通常のメタ情報を記憶媒体１０１に記録する（ＳＴ４５）。
録画エラー検出部１０８がエラーを検出した場合（ＳＴ４４のＹｅｓ）、メタ情報生成部１０９が録画エラー検出を意味するメタ情報を生成し（メタ情報生成ステップ）、メタ情報記録部１１０が番組ＩＤと紐付けて、録画エラー検出を意味するメタ情報を記憶媒体１０１に記録する（ＳＴ４６）。
録画装置１００において、録画予約等による録画終了条件になっていない場合（ＳＴ４７のＮｏ）、録画番組の記録処理に戻り（ＳＴ４３）、録画予約等による録画終了条件になった場合（ＳＴ４７のＹｅｓ）、放送受信部１０２は放送番組の受信を終了し（ＳＴ４８）、録画処理が完了する。
【００５８】
再生装置３００では、ユーザからの指示に基づき、通信部３０１が録画番組一覧の取得要求を録画装置１００に送信するとともに、録画装置１００からメタ情報を受信する（通信ステップ）。
次に、メタ情報解析部３０２が、通信部３０１により受信されたメタ情報を解析する（メタ情報解析ステップ）。
具体的には、メタ情報解析部３０２は、メタ情報において、録画番組の名称等とともに、エラー通知メッセージが含まれているか否かを判定する。
そして、メタ情報解析部３０２は、メタ情報と解析結果を録画番組情報生成部３０３に出力する。
録画番組情報生成部３０３は、メタ情報解析部３０２によりメタ情報にエラー通知が含まれていないと判定された場合は、メタ情報から、録画番組の名称、録画日時が表示される録画番組情報を生成する。
一方、メタ情報解析部３０２によりメタ情報にエラー通知メッセージが含まれていると判定された場合は、録画番組情報生成部３０３は、メタ情報から、録画番組の名称、録画日時が表示されるとともに、当該番組の録画の際にエラーが発生していたことが表示される録画番組情報を生成する（録画番組情報生成ステップ）。
その後、表示部３０５が、録画番組情報をディスプレイに出力し、再生装置３００のユーザは、録画番組情報を確認する。
録画番組情報において特定の番組について、録画中にエラーがあった旨が表示されていれば、ユーザは、当該番組の再生中に映像の乱れが発生したり、再生が異常停止する可能性があることを認識できる。
【００５９】
図１１は、録画処理において録画エラーが検出されなかった場合に生成される通常のメタ情報の例である。
図１２は、録画処理において録画エラーが検出された場合に生成される録画エラーのメタ情報の例である。
図１１と図１２の違いは録画番組の番組名の属性を表す＜ｄｃ：ｔｉｔｌｅ＞の値である。
図１２のメタ情報では、録画エラーが検出された番組名の先頭に、エラー通知メッセージとして“［録画エラー有］”の文字列が追加されている。
録画処理において録画エラーが検出された場合に、メタ情報生成部１０９が、このように録画番組のメタ情報に録画エラーが検出されたことを意味する文字列を追加することにより、録画番組のメタ情報を取得した再生装置３００では、録画番組情報に録画エラーがあった旨を表示することができる。
【００６０】
図１３は、再生装置３００が録画装置１００から取得したメタ情報から生成した録画番組情報の例である。
図１３は、Ｎｏ．０００１の「スポーツ中継」及びＮｏ．０００２の「昼のお買いもの情報」について、図１１のような通常のメタ情報を用い、Ｎｏ．０００３の「７時のニュース」について、図１２の録画エラーのメタ情報を用いた場合の録画番組情報を示す。
図１３では、Ｎｏ．０００３の録画番組の番組名に“［録画エラー有］”と表示されている。
このため、ユーザはＮｏ．０００３の録画番組を再生する前に、この番組の録画中にエラーがあったことを知ることができるので、録画番組の再生中に映像の乱れが発生したり、再生が異常停止する可能性があることを認識できるようになる。
【００６１】
なお、図１２では録画番組のメタ情報を生成する際に番組名の属性を表す＜ｄｃ：ｔｉｔｌｅ＞の値を変更する例示したが、録画番組のメタ情報としては番組名に限定するものではなく、番組情報＜ｄｃ：ｄｅｓｃｒｉｐｔｉｏｎ＞等の他の属性の値を変更してもよい。
また、録画エラー検出を意味する新たな属性、例えば＜ＥｒｒｏｒＩｎｆｏ＞を生成してもよい。
再生装置３００においてメタ情報解析部３０２は、メタ情報の記述形式に従って、メタ情報にエラー通知メッセージが含まれているか否かを判定する。
【００６２】
＊＊＊実施の形態の効果＊＊＊
このように、本実施の形態によれば、再生装置３００のユーザは、録画番組の視聴を始める前に、録画番組の録画時にエラーがあったことを知ることができ、録画番組の再生中に映像の乱れが発生したり、再生が異常停止する可能性があることを認識できる。
【００６３】
以上、本発明の実施の形態について説明したが、これら２つの実施の形態を組み合わせて実施しても構わない。
あるいは、これら２つの実施の形態のうち、１つを部分的に実施しても構わない。
あるいは、これら２つの実施の形態を部分的に組み合わせて実施しても構わない。
なお、本発明は、これらの実施の形態に限定されるものではなく、必要に応じて種々の変更が可能である。
【００６４】
＊＊＊ハードウェア構成の説明＊＊＊
最後に、録画装置１００及び再生装置３００のハードウェア構成例を図１５を参照して説明する。
録画装置１００及び再生装置３００はコンピュータである。
録画装置１００及び再生装置３００は、プロセッサ９０１、補助記憶装置９０２、メモリ９０３、通信装置９０４、入力インタフェース９０５、ディスプレイインタフェース９０６といったハードウェアを備える。
プロセッサ９０１は、信号線９１０を介して他のハードウェアと接続され、これら他のハードウェアを制御する。
入力インタフェース９０５は、入力装置９０７に接続されている。
ディスプレイインタフェース９０６は、ディスプレイ９０８に接続されている。
【００６５】
プロセッサ９０１は、プロセッシングを行うＩＣ（Ｉｎｔｅｇｒａｔｅｄ  Ｃｉｒｃｕｉｔ）である。
プロセッサ９０１は、例えば、ＣＰＵ（Ｃｅｎｔｒａｌ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）、ＧＰＵ（Ｇｒａｐｈｉｃｓ  Ｐｒｏｃｅｓｓｉｎｇ  Ｕｎｉｔ）である。
補助記憶装置９０２は、例えば、ＲＯＭ（Ｒｅａｄ  Ｏｎｌｙ  Ｍｅｍｏｒｙ）、フラッシュメモリ、ＨＤＤ（Ｈａｒｄ  Ｄｉｓｋ  Ｄｒｉｖｅ）である。
メモリ９０３は、例えば、ＲＡＭ（Ｒａｎｄｏｍ  Ａｃｃｅｓｓ  Ｍｅｍｏｒｙ）である。
通信装置９０４は、データを受信するレシーバー９０４１及びデータを送信するトランスミッター９０４２を含む。
通信装置９０４は、例えば、通信チップ又はＮＩＣ（Ｎｅｔｗｏｒｋ  Ｉｎｔｅｒｆａｃｅ  Ｃａｒｄ）である。
入力インタフェース９０５は、入力装置９０７のケーブル９１１が接続されるポートである。
入力インタフェース９０５は、例えば、ＵＳＢ（Ｕｎｉｖｅｒｓａｌ  Ｓｅｒｉａｌ  Ｂｕｓ）端子である。
ディスプレイインタフェース９０６は、ディスプレイ９０８のケーブル９１２が接続されるポートである。
ディスプレイインタフェース９０６は、例えば、ＵＳＢ端子又はＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）端子である。
入力装置９０７は、例えば、マウス、キーボード又はタッチパネルである。
ディスプレイ９０８は、例えば、ＬＣＤ（Ｌｉｑｕｉｄ  Ｃｒｙｓｔａｌ  Ｄｉｓｐｌａｙ）である。
【００６６】
補助記憶装置９０２には、図１、図９、図１４に示す「〜部」の機能を実現するプログラムが記憶されている。
このプログラムは、メモリ９０３にロードされ、プロセッサ９０１に読み込まれ、プロセッサ９０１によって実行される。
更に、補助記憶装置９０２には、ＯＳ（Ｏｐｅｒａｔｉｎｇ  Ｓｙｓｔｅｍ）も記憶されている。
そして、ＯＳの少なくとも一部がメモリ９０３にロードされ、プロセッサ９０１はＯＳを実行しながら、「〜部」の機能を実現するプログラムを実行する。
図１５では、１つのプロセッサ９０１が図示されているが、録画装置１００及び再生装置３００が複数のプロセッサ９０１を備えていてもよい。
そして、複数のプロセッサ９０１が「〜部」の機能を実現するプログラムを連携して実行してもよい。
また、「〜部」の処理の結果を示す情報やデータや信号値や変数値が、メモリ９０３、補助記憶装置９０２、又は、プロセッサ９０１内のレジスタ又はキャッシュメモリに記憶される。
【００６７】
「〜部」を「回路」又は「工程」又は「手順」又は「処理」に読み替えてもよい。
「回路」は、プロセッサ９０１だけでなく、ロジックＩＣ又はＧＡ（Ｇａｔｅ  Ａｒｒａｙ）又はＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）又はＦＰＧＡ（Ｆｉｅｌｄ−Ｐｒｏｇｒａｍｍａｂｌｅ  Ｇａｔｅ  Ａｒｒａｙ）といった他の種類の処理回路をも包含する概念である。
【符号の説明】
【００６８】
１００  録画装置、１０１  記憶媒体、１０２  放送受信部、１０３  番組ＩＤ生成部、１０４  録画部、１０５  録画ログ記録部、１０６  録画番組転送部、１０７  転送ログ記録部、１０８  録画エラー検出部、１０９  メタ情報生成部、１１０  メタ情報記録部、１１１  ログ送信部、１１２  ログ管理部、２００  放送番組配信サーバ装置、３００  再生装置、３０１  通信部、３０２  メタ情報解析部、３０３  録画番組情報生成部、３０４  録画番組再生部、３０５  表示部、３０６  音声出力部、４００  ＩＰネットワーク。
【図１】
2017022435.tif 000003
【図２】
2017022435.tif 000004
【図３】
2017022435.tif 000005
【図４】
2017022435.tif 000006
【図５】
2017022435.tif 000007
【図６】
2017022435.tif 000008
【図７】
2017022435.tif 000009
【図８】
2017022435.tif 000010
【図９】
2017022435.tif 000011
【図１０】
2017022435.tif 000012
【図１１】
2017022435.tif 000013
【図１２】
2017022435.tif 000014
【図１３】
2017022435.tif 000015
【図１４】
2017022435.tif 000016
【図１５】
2017022435.tif 000017